(57)【特許請求の範囲】
【請求項１】
シャーシと、該シャーシに歯合することで立脚する調整ビスと、前記シャーシに対して設定された離間距離を有して該調整ビスで係止されるサブシャーシと、前記シャーシと該サブシャーシとを離間する方向に付勢する付勢手段とを有する高さ調整装置であって、
前記シャーシは、前記調整ビスを歯合するための孔を備え、
前記調整ビスは、回転挿入することで該孔に雌ねじを形成する雄ねじ先端部と、該雄ねじ先端部にて形成された雌ねじに歯合する雄ねじ部と、前記付勢手段による付勢方向に対抗してサブシャーシを係止する頭部とを略直線状に有し、
前記シャーシの孔は、雌ねじを切られる内径部である小径部と前記調整ビスの雄ねじ先端部外径より直径が大きい大径部とを備え、
前記雄ねじ部の長さは、高さ調整時における、前記サブシャーシの厚みと前記シャーシの孔の前記サブシャーシ側の端面からサブシャーシまでの距離の最大値と前記シャーシの小径部長さとの和より長いことを特徴とする高さ調整装置。
【請求項２】
前記調整ビスの雄ねじ部は、前記雄ねじ先端部と同ピッチでかつ径が小さいねじ山を備えることを特徴とする請求項１記載の高さ調整装置。
【請求項３】
調整後の前記ビスのねじロックの塗布位置が前記大径部と前記雄ねじ先端部との隙間であることを特徴とする請求項１記載の高さ調整装置。
【発明の詳細な説明】
【０００１】
【発明の属する技術分野】
本発明は、２つの相対的な物理的な位置高さを調整する機構による高さ調整装置に関するものである。
【０００２】
【従来の技術】
近年、情報記録分野において、ＤＶＤのような光ディスクが非常に注目され、種々提案されてきている。周知のように光ディスクは、光ディスクに光ビームを照射してその状態を変えることで情報を記録し、また、光ディスクの状態が異なることによる照射光ビームの反射の具合の違いから、記録されている情報を再生するものである。よって、ディスクの記録面に対し、光ビームがほぼ直角にかつスポットを崩さず精度良く照射されないと、記録再生がうまく行われない。そのため、ピックアップが発光する光ビームを光ディスクの記録面に照射しながら、光ビームのディスクへの照射角度を厳密に合わせ込む必要がある。このため、光ディスクを載置し回転するターンテーブル（あるいはそれを固定するシャーシ）と、ピックアップの移動機構（あるいはそれを支持する別のシャーシ）との高さ関係をあわせこみ、それぞれの面の平行度を精度内に収めないといけない。
【０００３】
もちろん、高精度に高さ関係を調節するものとしては、光ディスクに限ったものでなく、例えば、ＶＴＲのような磁気記録再生装置でも、周知のようにヘリカル記録するよう斜めに巻きつけられた回転ヘッドドラムと、走行するテープとの位置関係、回転ヘッドドラム内において複数備わった磁気ヘッドの相対的な高さ関係等も同様である。
【０００４】
さて、前述したように、基準となるシャーシともう一つのサブシャーシの各面の平行度を調節する場合、３点支持のうち１箇所を接動可能な支点にし、もう２箇所においてそれぞれの高さ（距離）を調整可能にすればよいことはいうまでもない。図２にそれぞれの調整個所における調整装置の構成断面図を示す。
【０００５】
図２において、１１はシャーシで、調整ビス１４が締め付けられるような雌ねじ部１１ｎを有するねじ孔１１ａが構成されている。１２はサブシャーシで、シャーシ１１に対しその高さ（離間距離）を調整されるものであり、その孔１２ａに調整ビス１４が貫通してねじ孔１１ａにて螺合される。１３は調整ばねで、孔１１ａの近傍で、シャーシ１１とサブシャーシ１２との間に狭持されるよう構成され、これによりサブシャーシ１２は、シャーシ１１から離間する方向に付勢され、調整ビス１４の頭部１４ａで係止されることで離間距離が定まる。この例では、調整ばね１３はいわゆるつるまきばねで、そのつるまきの中を調整ビス１４が貫通するように構成され、かつつるまきの中に挿入できるようにばね径よりやや小さい直径のボス部１１ｂにて構成されている。これによりシャーシ１１においてねじ部１１ｎの長さができるだけ確保できねじ締め付け代を大きく取れると共に、調整ばね１３の組み込みが容易にできる。
【０００６】
以上のように構成された従来の調整装置について、以下その動作について説明する。
【０００７】
まず、シャーシ１１のボス部１１ｂに調整ばね１３を挿入し、次にサブシャーシ１２を間に挟むようにして調整ビス１４をサブシャーシ１２の孔１２ａを貫通し、シャーシ１１の孔１１ａに仮のねじ止めをする（図示の符号Ｆ）。次にシャーシ１１とサブシャーシ１２との高さを調整するよう調整ビス１４を回す（同、Ｒ）ことで調整ビス１４と孔１１ａのねじ部１１ｎとの歯合により調整ビス１４の頭部１４ａの高さが調整され、調整ばね１３によって離間するよう付勢されているサブシャーシ１２も高さ（離間距離）が定められる（同、Ｍ）。調整が終了すると、調整ビス１４が回転しないようにねじロック等により固定され、調整ビス１４の頭部１４ａの高さが変化しないようにする。
【０００８】
【発明が解決しようとする課題】
しかしながら上記の従来の構成では、シャーシ１１の孔１１ａに予めねじ部１１ｎを設けるよう加工せねばならず、加工コストが高くなってしまうという問題点を有していた。また、調整ビスのねじ部とねじ孔の雌ねじのがたが大きいと、調整の精度が悪くなり、逆に調整ビスのねじ部とねじ孔の雌ねじのがたを小さくするようそのクリアランスを小さくすると、回転が重くなりすぎ、調整作業がやりにくくなる。特に、そのクリアランスを適度にしようとすると、シャーシの雌ねじの加工精度、調整ビスのばらつき品質を両方とも高めねばならないという問題点を有していた。
【０００９】
これを解消するよう、図３に示すように、シャーシ２１の孔２１ａにねじ部を無くし、かつ調整ねじ２４の先端の雄ねじ先端部２４ｔが先細りになった、いわゆるタッピングビスにして、調整ビス２４の雄ねじ先端部２４ｔがねじ締めの回転（図示の符号Ｆ）によって孔２１ａ内径を雌ねじ部２１ｎに形成することもできる。
【００１０】
しかし、この方法では、雌ねじ部２１ｎの予めの加工は不要となるが、高さ（離間距離）の調整段階（図示の符号Ｍ）で、タッピングによってできたシャーシ２１の孔２１ａの雌ねじ部２１ｎを再度タッピングビスの調整ねじ２４が往復することになるので、雄ねじ部先端２４ｔが再度孔２１ａに進入し回転が非常に固く調整が滑らかに行えないという課題があった。
【００１１】
本発明は上記従来の問題点を解決するもので、シャーシの孔に雌ねじ部を予め加工しないでも調整装置の組み立て時に雌ねじ部を作り、かつ高さ（離間距離）の調整が滑らかに行える調整装置を提供することを目的とする。
【００１２】
【課題を解決するための手段】
この目的を達成するために本発明の高さ調整装置は、調整ビスは、回転挿入することで孔に雌ねじを形成する雄ねじ先端部と、雄ねじ先端部にて形成された雌ねじに歯合する雄ねじ部と、付勢手段による付勢方向に対抗してサブシャーシを係止する頭部とを略直線状に有し、調整ビスの頭部の雄ねじ側と雄ねじ先端部の雄ねじ側との距離は、孔の雌ねじを形成される内径部の長さと、設定される離間距離の最大値とサブシャーシの厚みとの合計より大であることを特徴とするものである。
【００１３】
特に、シャーシの孔は、雌ねじを切られる内径部である小径部と、調整ビスの雄ねじ先端部外径より直径が大きい大径部とを有し、調整ビスは、小径部側から挿入されるものである。
【００１４】
また、調整ビスの雄ねじ部は、雄ねじ先端部と同ピッチでかつ径が小さいねじ山を備えるものである。
【００１５】
この構成によって、予め雌ねじを形成しなくとも、高さ調整装置の組み立て時に調整ビスの雄ねじ先端部によってタッピングしてシャーシの孔に雌ねじを切ると共に、組み立てが完了して、高さ（離間距離）の調整時には、雄ねじ先端部がシャーシの孔の有効部分からは離れるため、調整時に、雄ねじ先端部が切った雌ねじ部に再度進入することがなく、調整のための調整ビスの回転がスムースで、微調整も容易に可能な高さ調整装置が得られる。
【００１６】
【発明の実施の形態】
以下、本発明の実施の形態について、図面を用いて説明する。
【００１７】
（実施の形態１）
図１は本発明の調整装置の構成断面図であり、図１において、１はシャーシで、後述するように調整ビス４が組み立て時に切削して雌ねじ部を作ることになる孔１ａが構成されている。２はサブシャーシで、シャーシ１に対しその高さ（離間距離）を調整されるものであり、その孔２ａに調整ビス４が貫通してねじ孔１ａにて係合される。３は調整ばねで、孔１ａの近傍で、シャーシ１１とサブシャーシ２との間に狭持されるよう構成され、これによりサブシャーシ２は、シャーシ１から離間する方向に付勢され、調整ビス４の頭部４ａで係止されることで離間距離が定まる。この例では、調整ばね３はいわゆるつるまきばねで、そのつるまきの中を調整ビス４が貫通するように構成され、かつつるまきの中に挿入できるようにばね径よりやや小さい直径のボス部１ｂに構成されている。これによりシャーシにおいてねじ部１ｎの長さができるだけ確保できねじ締め付け代を大きく取れると共に、調整ばね３の組み込みが容易にできる。
【００１８】
本実施の形態の構成において、前述した従来の調整装置との違いは、調整ビス４のねじ構成と、それを受けるシャーシ１の孔１ａの構成である。
【００１９】
４は調整ビスで、頭部４ａはサブシャーシ２の孔２ａより大径で、先端部４ｔはシャーシの孔１ｓに雌ねじを形成するための雄ねじである。また、雄ねじ部４ｎは、先端部４ｔと同ピッチのねじを有し、かつ先端部４ｔの径よりもわずかに小さい構成になっている。このようなビスとしては、軟質材料へのねじ込み用タッピングビスとして考案された実開平８−１３４０号公報（実願平８−１８２１号）、日東精工のアルミタイト（登録商標）等がある。
【００２０】
シャーシ１において、その孔１ａは、調整ねじが挿入される側に構成される、内径が小さい小径部１ｓと、反対の方にある、内径が大きい大径部１ｄとを備える。小径部１ｓは、前述した構成の調整ビス４によって、雌ねじ部１ｎが形成されるように、内径が調整ねじの雄ねじ部の谷と略同じ径に構成され、また、大径部１ｄはその内径が調整ビス４の雄ねじ部先端４ｔの外径より大きい。また、図１に示すように、調整ビス４の雌ねじ部４ｎの長さＡは、高さ調整時のＢ（すなわち、サブシャーシ２の厚みと、シャーシ１・サブシャーシ２間の対向距離（ばらつき公差を含め。ここではシャーシ１のボス１ｂの端面からサブシャーシまでの距離）と、シャーシ２の小径部長さと、の和）より大きく構成されている。
【００２１】
以上のように構成された高さ調整装置について、図１を用いてその動作を説明する。
【００２２】
まず、シャーシ１のボス部１ｂに調整ばね３を挿入し、次にサブシャーシ２を間に挟むようにしてタッピングビスによる調整ビス４をサブシャーシ２の孔２ａを貫通し、シャーシ１の孔１ａにねじ止めをする（図示の符号Ｆ）。この場合、調整ビスがタッピングビスであるので、その雄ねじ先端部４ｔがシャーシ１の小径部１ｓに雌ねじを形成しながら大径部１ｄまで貫通する。
【００２３】
次にシャーシ１とサブシャーシ２との高さを調整するよう調整ビス４を回す（同、Ｒ）。この場合、雄ねじ先端部４ｔで作られた雌ねじの大きさに比べ、ねじ部４ｎは若干細いので、ガタなく、硬くない滑らかな歯合が実現できる。それとともに、前述したように、調整ビス４のねじ部４ｎの長さＡは、高さ調整時のＢ（すなわち、サブシャーシ２の厚みと、シャーシ１（主平面）・サブシャーシ２間の対向距離（ばらつき公差を含め）と、シャーシ２の主平面とその小径部・大径部境目の段差とまでの設計寸法と、の和）より大きく構成されているので、ばらつき上最大に離間させても、調整ビス４の雄ねじ先端部４ｔが小径部１ｓには到達せず、調整ビスの回転が重くならない。
【００２４】
調整ビス４と孔１ａのねじ部１ｎとの歯合により調整ビス４の頭部４ａの高さが調整され、調整ばね３によって離間するよう付勢されているサブシャーシ２も高さ（離間距離）が定められる（図示の符号Ｍ）。調整が終了すると、調整ビス４が回転しないようにねじロック等により固定され、調整ビス４の頭部４ａの高さが変化しないようにする。
【００２５】
このとき、ねじロックの塗布位置を、大径部１ｄと先端部４ｔとの隙間にすることで、接着面積がより充分に確保でき、安定した接着が可能となる。
【００２６】
以上のように本実施の形態によれば、調整ビスに通常の雄ねじ部と雌ねじを形成するための雄ねじ先端部とを設け、シャーシの小径部を長さを高さ調整時の最大離間距離から求められる長さにすることで、予めシャーシの孔に雌ねじを切らず、かつ調整時も調整ねじ４の雄ねじ先端部４ｔが小径部１ｓには到達せず、調整ねじの回転が重くなって調整がスムースに行かなくなるという事が起きず、微調整も精度よく行うことができる。
【００２７】
なお、上述した実施の形態では、シャーシの孔が小径部と大径部とを備えるように構成したが、必ずしもこれに限るものではなく、大径部がなく、調整時に調整ビスの雄ねじ先端部がシャーシ裏面より完全に突出あるいは露出しているものでも良いことは言うまでもない。また、シャーシ上にボスをサブシャーシに近いほうに設けたが、シャーシに雌ねじを形成できる必要な厚みがあれば、ボスは必要なく、またシャーシの反対側（すなわちサブシャーシに面していない方）にあっても特にかまわない。
【００２８】
また、調整ビスの頭部と雄ねじ部の間に、雄ねじの外径（すなわちねじ山頂点）と同径にした雄ねじのない部分（無ねじ部）を構成してもよい。この場合、無ねじ部の長さは調整ばらつき上でも小径部に至らないような長さにする必要が有り、通常はサブシャーシの厚みと同じ程度でかまわない。
【００２９】
【発明の効果】
以上のように本発明は、予めシャーシの孔に雌ねじを切らず、かつ調整時も調整ねじの雄ねじ先端部が小径部には到達せず、調整ねじの回転が重くなって調整がスムースに行かなくなるという事が起きず、微調整も精度よく行うことができるという優れた効果が得られる。
【図面の簡単な説明】
【図１】本発明の実施の形態１における調整装置の構成断面図
【図２】従来の調整装置の構成断面図
【図３】もうひとつの従来の調整装置の構成断面図
【符号の説明】
１  シャーシ
１ａ  孔
１ｂ  ボス部
１ｄ  大径部
１ｓ  小径部
２  サブシャーシ
２ａ  孔
３  調整ばね
４  調整ビス
４ａ  頭部
４ｎ  雄ねじ部
４ｔ  雄ねじ先端部
【図１】
0004099980.tif 000002
【図２】
0004099980.tif 000003
【図３】
0004099980.tif 000004